(57)【要約】【課題】前蓋と本体ケースとが擦れ合って生じた摩耗粉が、磁気テープに付着してドロップアウトの原因になるのを確実に防止する。【解決手段】本体ケース１の前部に、テープローディング用のポケット４と、テープ引出口５と、磁気テープ３を保護する前蓋１０とが設けてある。テープ引出口５の周壁と前蓋１０の内面壁との間には、前蓋１０が本体ケース１と擦れ合うのを規制する摺接規制構造を設ける。摺接規制構造は、テープガイド６の基端に設けたガイドボス８と、ガイドボス８の周面に外接係合する規制突起１６とを含む。規制突起１６は前蓋１０の下部内面に設ける。以て、前蓋１０を閉じた状態において、規制突起１６の接合凹部１８をガイドボス８で受け止めて、前蓋１０が外力を受けて遊動するのを規制する。【選択図】図１
2007042163.tif 000002
【特許請求の範囲】
【請求項１】
本体ケースの前部に、テープローディング用のポケットと、前記ポケットの前部左右に配置されるテープ引出口と、磁気テープを保護する前蓋とが設けてあるテープカートリッジであって、
前記テープ引出口の周壁と、前記テープ引出口の周壁に臨む前記前蓋の内面壁との間に、前記前蓋を閉じた状態においてのみ互いに係合して、前記前蓋が前記本体ケースの長辺部に沿って擦れるのを規制する摺接規制構造が設けてあることを特徴とするテープカートリッジ。
【請求項２】
前記テープ引出口のそれぞれに、テープリールから繰り出された前記磁気テープを変向案内するテープガイドが設けられており、
前記摺接規制構造が、前記テープガイドの基端に設けられて、前記磁気テープの下縁を受け止めるガイドボスと、前記前蓋の下部内面に設けられて、前記ガイドボスの周面に外接係合する規制突起とで構成されている請求項１記載のテープカートリッジ。
【請求項３】
前記ガイドボスが円形の座壁で構成されており、
前記規制突起に、前記ガイドボスに対して複数箇所で接当する接合凹部が形成されている請求項２記載のテープカートリッジ。
【発明の詳細な説明】
【技術分野】
【０００１】
本発明は、本体ケースの前面に、テープローディング用のポケットを開閉する前蓋を備えているテープカートリッジに関する。
【背景技術】
【０００２】
この種のテープカートリッジにおいては、不使用時の磁気テープを保護するために、ポケットの上面および前面を前蓋で覆っている。前蓋は、上カバー壁および前カバー壁を備えた断面が逆Ｌ字状の蓋本体と、蓋本体の左右両端に設けた蓋側壁とを一体に備えている。蓋側壁の内面には一対の揺動軸を形成してあり、これらの揺動軸を本体ケースに軸支することにより、前蓋全体は不使用時の閉じ姿勢と、ポケットの上面および前面を開放する開放姿勢とに揺動変位できる。前蓋は捻りコイルばねで閉じ勝手に付勢されており、さらに本体ケースに組み込んだ蓋ロック構造で閉じ姿勢にロック保持される。
【０００３】
この種のテープカートリッジにおいて、前蓋と本体ケースとの間に、互いに係合して前蓋の動作を規制する構造を設けることは公知である（特許文献１参照）。そこでは、ポケットの左右両側の前端に横長台形状の突壁を設け、前蓋の前カバー壁の下端両側に前記突壁と係合する切欠が設けられている。この係合構造では、下ケースの突壁で前蓋の閉じ限界を規定している。突壁と切欠とは突壁の左右両側においても接当係合しているので、前蓋が左右方向へがた付くのをある程度は規制できると思われるが、前蓋を完全に静止保持できるわけではない。同様の係合構造は特許文献２にも開示されている。
【０００４】
【特許文献１】特許第２５２５２１９号公報（３頁右欄２１〜３０行、第６図）
【特許文献２】特開平６−４４７３５号公報（段落番号００１８、図５）
【発明の開示】
【発明が解決しようとする課題】
【０００５】
先に説明したように、不使用時の前蓋は、捻りコイルばねで閉じ姿勢に保持され、さらに蓋ロック構造でロック保持されているので、蓋ロック構造をロック解除操作しない限り、前蓋は自由に動けない。しかし、蓋側壁と本体ケースの側壁との間には隙間があるので、この隙間分だけ前蓋は左右方向へ動く余地がある。そのため、例えばテープカートリッジを消費地へ輸送するような場合に、前蓋が左右方向にがた付き、前蓋と本体ケースとの接触部分が擦れ合って摩耗粉を生じることがある。
【０００６】
このように移送時の前蓋と本体ケースとの擦れ合いによって生じた摩耗粉が磁気テープの記録面に付着すると、情報信号を読み書きする際のドロップアウトの原因となり、未使用であるにもかかわらずテープカートリッジの品質が損なわれる。とくに、ディジタル化された情報信号を読み書きするテープカートリッジにおいては、情報信号の記録密度が高いため、摩耗粉の付着がごく僅かであっても読み書き信号が欠落するのを避けられず、信頼性が損なわれてしまう。
【０００７】
本発明の目的は、前蓋と本体ケースとの擦れ合いによる摩耗粉の発生を確実に防止し、輸送時などに磁気テープが摩耗粉で汚損されるのを確実に防止し、工場出荷時のクリーンな状態を維持できるテープカートリッジを提供することにある。
【課題を解決するための手段】
【０００８】
本発明のテープカートリッジは、本体ケース１の前部に、テープローディング用のポケット４と、ポケット４の前部左右に配置されるテープ引出口５と、磁気テープ３を保護する前蓋１０とが設けてある。テープ引出口５の周壁と、テープ引出口５の周壁に臨む前蓋１０の内面壁との間には、前蓋１０を閉じた状態においてのみ互いに係合して、前蓋１０が本体ケース１の長辺部に沿って擦れるのを規制する摺接規制構造が設けられていることを特徴とする。
【０００９】
具体的には、図１に示すごとくテープ引出口５のそれぞれに、テープリール２から繰り出された磁気テープ３を変向案内するテープガイド６が設けられているので、摺接規制構造は、テープガイド６の基端に設けられて、磁気テープ３の下縁を受け止めるガイドボス８と、前蓋１０の下部内面に設けられて、ガイドボス８の周面に外接係合する規制突起１６とで構成することができる。
【００１０】
前記ガイドボス８は、円形の座壁で構成し、前記規制突起１６には、該ガイドボス８に対して複数箇所で接当する接合凹部１８を形成することができる。
【発明の効果】
【００１１】
本発明では、摺接規制構造で輸送時などに前蓋１０が左右方向へ遊動するのを規制するので、前蓋１０と本体ケース１との擦れ合いによって摩耗粉が生じるのを確実に防止できる。これにより、輸送時などに磁気テープ３が摩耗粉で汚損されるのを確実に防止し、テープカートリッジを工場出荷時のクリーンな状態に維持し続けることができる。
【００１２】
テープガイド６の基端に設けたガイドボス８と、前蓋１０の下部内面に設けられて、ガイドボス８の周面に外接係合する規制突起１６とを含む摺接規制構造によれば、前蓋１０を完全に閉じ操作することでガイドボス８と規制突起１６とが係合して、前蓋１０を左右移動不能に保持固定する。したがって、前蓋１０の開閉途中にガイドボス８と規制突起１６とが接触する余地がなく、従来のテープカートリッジと同様に、前蓋１０の開閉は常に円滑に行える。磁気テープ３の下縁を受け止めるガイドボス８を利用して摺接規制構造が構成されていると、前蓋１０側に規制突起１６を付加するだけでよく、摺接規制構造を備えたテープカートリッジをより低コストで製造できる。
【００１３】
ガイドボス８を円形の座壁で構成し、規制突起１６にガイドボス８と複数箇所で接触する接合凹部１８を形成した摺接規制構造によれば、左右一対のガイドボス８・８で左右の接合凹部１８を同時に受け止めて前蓋１０の左右移動を規制できるので、さらに確実に前蓋１０の左右遊動を規制できる。テープカートリッジが床面に落下したような場合にも、前蓋１０に作用する落下衝撃を左右のガイドボス８で受け止めて分散できるので、落下衝撃が片方の規制突起１６に集中して破損するのをよく防止できる。
【発明を実施するための最良の形態】
【００１４】
（実施例１）  図１ないし図５は本発明に係るテープカートリッジの実施例１を示す。図２においてテープカートリッジは、横長角箱状の本体ケース１の内部左右に一対のテープリール２・２を有し、一方のテープリール２から繰り出した磁気テープ３は他方のテープリール２で巻き取られる。本体ケース１は、上下に分割されたプラスチック製の上下ケース１ａ・１ｂを蓋合わせ状にねじ結合してなる。
【００１５】
本体ケース１の前面には、テープローディング用のポケット４と、ポケット４の左右両側に配置されるテープ引出口５・５とが設けられており、両テープ引出口５・５に設けたテープガイド６・６で、テープリール２から繰り出された磁気テープ３を変向案内することにより、ポケット４の前面を左右に横断するテープパスを形成している。ポケット４の上下面および前面は開放されているが、上面の一部は本体ケース１側の庇壁で覆われている。
【００１６】
テープガイド６は、周面が研削仕上げされたステンレス製の円筒からなり、図３に示すごとく上下ケース１ａ・１ｂに形成した支軸７で回転不能に支持固定されている。下ケース１ｂ側の支軸７の基端には断面円形の座壁からなるガイドボス８を一体に形成してある。ガイドボス８の上面で磁気テープ３の下縁を受け止めることにより、テープリール２に巻き取られる磁気テープ３、およびテープリール２から繰り出される磁気テープ３を位置決めできる。符号９はテープガイド６・６とテープリール２・２との間に設けられるガイドピンである。
【００１７】
不使用時の磁気テープ３を保護するために、本体ケース１の前部に前蓋１０が設けられている。前蓋１０は、ポケット４の前面および上面を覆う蓋本体１１と、蓋本体１１の左右両側に設けられる蓋側壁１２と、蓋側壁１２の内面に設けられて本体ケース１の側壁前部で軸支される一対の揺動軸１３とを一体に備えている。蓋本体１１は、磁気テープ３の外側面を覆う前カバー壁１１ａと、庇壁と協同してポケット４の上面を覆う上カバー壁１１ｂとで断面逆Ｌ字状に形成してある。
【００１８】
かかるテープカートリッジにおいて、移送時などに前蓋１０と本体ケース１とが擦れ合って摩耗粉が発生するのを防ぐために、テープ引出口５の周壁と、この周壁に臨む前蓋１０の内面壁との間には摺動規制構造を設ける。具体的には、先に説明した左右のガイドボス８と、前蓋１０の前カバー壁１１ａの内面に設けた左右の規制突起１６とで摺動規制構造を構成した。
【００１９】
図４および図５において、規制突起１６は、前カバー壁１１ａの下端に形成した左右一対の山形突起１７・１７からなり、両山形突起１７・１７間にＶ字状の接合凹部１８が形成されている。山形突起１７・１７の上下厚みは、ガイドボス８の上下厚みより小さく寸法設定されている。磁気テープ３の下縁が規制突起１６と接触するのを避けるためである。
【００２０】
不使用時の前蓋１０は、図外の蓋ロック構造で開放不能にロック保持してあり、さらに図外のばねで閉じ勝手に揺動付勢されて、前カバー壁１１ａの下端面がテープ引出口５の底壁で受け止められている（図３参照）。テープカートリッジをテープドライブに装填すると、先の蓋ロック構造がロック解除されて、図４および図３の想像線で示すように前蓋１０がばねの付勢力に逆らって上向きに開放操作される。この状態で、磁気テープ３がテープドライブ側のローディングピンでケース前方へ引き出されて、磁気ヘッドに巻き付けられ、映像および音声などの情報信号が記録され、あるいは再生される。
【００２１】
テープドライブをイジェクト操作すると、ポケット４の前面および上面が、閉じ揺動した前蓋１０によって覆われ、テープカートリッジが装填口から押し出される。閉じ状態の前蓋１０は、テープ引出口５の底壁で受け止められ、蓋ロック構造で開放不能にロック保持されている。
【００２２】
このとき、前蓋１０の内面左右に設けた山形突起１７・１７がガイドボス８の周面で受け止められ、両突起１７・１７間の接合凹部１８がガイドボス８の周面の２箇所に線接触状に外接している。そのため、図１に示すように蓋側壁１２と本体ケース１の側壁との間に隙間があったとしても、前蓋１０が外力を受けて左右方向（本体ケース１の長辺に沿う方向）へ遊動することはない。したがって、前蓋１０と本体ケース１とが擦れあって摩耗粉が生じるのを確実に防止できる。
【００２３】
前蓋１０が閉じ姿勢に切り換わるとき、蓋側壁１２とケース側壁との間の隙間分だけ前蓋１０がずれ動くことがある。その場合には、山形突起１７・１７のいずれか一方がガイドボス８に先当りするが、前蓋１０が完全に閉じ終わるまでの間に、山形突起１７・１７がガイドボス８に押されて横移動し前蓋１０のずれが矯正される。したがって、閉じ姿勢に切り換わった状態の前蓋１０は、ガイドボス８で適正に位置決めされた状態で左右移動不能に保持固定される。
【００２４】
（実施例２）  図６は摺動規制構造に関する本発明の実施例２を示す。そこでは、前蓋１０の内面に設けた左右一対の規制突起１６と、規制突起１６に対応して各ガイドボス８に凹み形成した接合凹部１８とで摺動規制構造を構成し、規制突起１６と接合凹部１８とが面接触状に係合するようにした。そのために、ガイドボス８の前半部はケース前方へ突出させて、接合凹部１８は逆台形状に形成した。同様に、規制突起１６は接合凹部１８の凹み形状に対応して逆台形状に形成した。この場合の規制突起１６は、前カバー壁１１ａの内面に縦長リブ状に形成することができる。他は先の実施例１と同じであるので、同じ部材に同じ符号を付してその説明を省略する。
【００２５】
上記の実施例では、テープ引出口５に設けられるガイドボス８を利用して摺動規制構造を構成したが、摺接規制構造は、テープ引出口５の底壁などの周壁と、テープ引出口５の周壁に臨む前蓋１０の内面壁との間に設けてあれば足りる。
【００２６】
前蓋１０の内面左右に、山形突起１７と同様の形状をした規制突起１６を１個ずつ設け、左右の規制突起１６が、それぞれガイドボス８の周面に外接することで前蓋１０の左右移動を規制することができる。その場合には、左右の規制突起１６は、右のガイドボス８の左半周面と、左のガイドボス８の右半周面とに同時に外接させる。あるいは、左右の規制突起１６を、右のガイドボス８の右半周面と、左のガイドボス８の左半周面とに同時に外接させる。
【図面の簡単な説明】
【００２７】
【図１】摺接規制構造を示すテープ引出口の横断平面図である。
【図２】テープカートリッジの横断平面図である。
【図３】テープ引出口の縦断側面図である。
【図４】前蓋を開放した状態におけるテープ引出口の一部破断正面図である。
【図５】摺接規制構造を示す斜視図である。
【図６】摺接規制構造の実施例２を示す横断平面図である。
【符号の説明】
【００２８】
１  本体ケース
３  磁気テープ
４  ポケット
５  テープ引出口
６  テープガイド
８  ガイドボス
１０  前蓋
１６  規制突起
１８  接合凹部
【図１】
2007042163.tif 000003
【図２】
2007042163.tif 000004
【図３】
2007042163.tif 000005
【図４】
2007042163.tif 000006
【図５】
2007042163.tif 000007
【図６】
2007042163.tif 000008